(57)【要約】【課題】画像形成装置における制御系の接続を簡素化するとともに、その消費電力を低減する。【解決手段】多機能複写機１は、スキャナ１０の動作を制御するスキャンコントローラ６０と、プリントエンジン２０の動作を制御するプリントコントローラ７０と、タッチパネルディスプレイ３０の動作を制御するＵＩコントローラ８０と、これら３つのコントローラを制御するメインコントローラ５０とを備えており、各コントローラは、Thunderboltインタフェース（コントローラおよびケーブル）を用いてデイジーチェーン接続される。Thunderboltインタフェースを、Thunderboltインタフェースを用いた給電により通信可能な状態とした上で、メインコントローラ５０は、スキャナ１０、プリントエンジン２０およびタッチパネルディスプレイ３０の給電／非給電を制御する。【選択図】図１
2014027629.tif 000002
【特許請求の範囲】
【請求項１】
画像を読み取る画像読取動作を制御する読取制御手段と、
画像を形成する画像形成動作を制御する形成制御手段と、
画像を表示する画像表示動作を制御する表示制御手段と、
前記読取制御手段、前記形成制御手段および前記表示制御手段を統括して制御する統括制御手段と、
前記統括制御手段と前記読取制御手段、前記形成制御手段および前記表示制御手段との間でデータの授受を行うために、当該統括制御手段、当該読取制御手段、当該形成制御手段および当該表示制御手段をデイジーチェーン接続する接続手段とを備え、
前記統括制御手段は、前記接続手段および前記表示制御手段に対して給電を行わせた状態で、受け付けた指示に応じて前記読取制御手段および前記形成制御手段に対する給電／非給電を制御すること
を特徴とする画像形成装置。
【請求項２】
前記接続手段は、前記読取制御手段に接続される読取接続部と、前記形成制御手段に接続される形成接続部と、前記表示制御手段に接続される表示接続部と、前記統括制御手段に接続される統括接続部とを、当該統括接続部から当該読取接続部、当該形成接続部および当該表示接続部への給電が可能となるように、デイジーチェーン接続して構成されることを特徴とする請求項１記載の画像形成装置。
【請求項３】
前記接続手段は、前記画像読取動作で得られる読取画像データおよび前記画像形成動作で用いられる形成画像データを第１プロトコルでシリアル化した第１シリアルデータと、前記画像表示動作で用いられる表示画像データを第２プロトコルでシリアル化した第２シリアルデータとを、第３プロトコルでプロトコル変換した第３シリアルデータとして伝送することを特徴とする請求項１または２記載の画像形成装置。
【請求項４】
前記第１プロトコルはPCIExpress（登録商標）であり、前記第２プロトコルはDisplayPort（商標）であり、前記第３プロトコルはThunderbolt（登録商標）であることを特徴とする請求項１乃至３のいずれか１項記載の画像形成装置。
【請求項５】
画像を読み取る画像読取動作を制御する読取制御部と、
画像を形成する画像形成動作を制御する形成制御部と、
画像を表示する画像表示動作を制御する表示制御部と、
前記読取制御部、前記形成制御部および前記表示制御部を制御する全体制御部と
を備え、
前記読取制御部、前記形成制御部、前記表示制御部および前記全体制御部を、Thunderboltインタフェースによってデイジーチェーン接続し、
前記全体制御部は、前記Thunderboltインタフェースを介した給電が行われることで当該Thunderboltインタフェースによるデータの授受が可能な状態で、前記読取制御部、前記形成制御部および前記表示制御部に対する給電／非給電を制御すること
を特徴とする画像形成装置。
【請求項６】
前記全体制御部は、前記画像読取動作に関する指示を受け付けた場合に、前記読取制御部には給電を行うとともに前記形成制御部には給電を行わない制御を実行し、前記画像形成動作に関する指示を受け付けた場合に、当該形成制御部には給電を行うとともに当該読取制御部には給電を行わない制御を実行することを特徴とする請求項５記載の画像形成装置。
【発明の詳細な説明】
【技術分野】
【０００１】
本発明は、画像形成装置に関する。
【背景技術】
【０００２】
公報記載の従来技術として、原稿の画像を読み取るためのスキャナ制御部と、画像を像担持体上に書き込むための書込制御部と、装置全体の制御を行うための主制御部と、を備えたデジタル複写機において、内部インターフェースとして、高速シリアルインターフェースを使用するものが存在する（特許文献１参照）。
【先行技術文献】
【特許文献】
【０００３】
【特許文献１】特開２００１−１６３８２号公報
【発明の概要】
【発明が解決しようとする課題】
【０００４】
本発明は、画像形成装置における制御系の接続を簡素化するとともに、その消費電力を低減することを目的とする。
【課題を解決するための手段】
【０００５】
請求項１記載の発明は、画像を読み取る画像読取動作を制御する読取制御手段と、画像を形成する画像形成動作を制御する形成制御手段と、画像を表示する画像表示動作を制御する表示制御手段と、前記読取制御手段、前記形成制御手段および前記表示制御手段を統括して制御する統括制御手段と、前記統括制御手段と前記読取制御手段、前記形成制御手段および前記表示制御手段との間でデータの授受を行うために、当該統括制御手段、当該読取制御手段、当該形成制御手段および当該表示制御手段をデイジーチェーン接続する接続手段とを備え、前記統括制御手段は、前記接続手段および前記表示制御手段に対して給電を行わせた状態で、受け付けた指示に応じて前記読取制御手段および前記形成制御手段に対する給電／非給電を制御することを特徴とする画像形成装置である。
【０００６】
請求項２記載の発明は、前記接続手段は、前記読取制御手段に接続される読取接続部と、前記形成制御手段に接続される形成接続部と、前記表示制御手段に接続される表示接続部と、前記統括制御手段に接続される統括接続部とを、当該統括接続部から当該読取接続部、当該形成接続部および当該表示接続部への給電が可能となるように、デイジーチェーン接続して構成されることを特徴とする請求項１記載の画像形成装置である。
請求項３記載の発明は、前記接続手段は、前記画像読取動作で得られる読取画像データおよび前記画像形成動作で用いられる形成画像データを第１プロトコルでシリアル化した第１シリアルデータと、前記画像表示動作で用いられる表示画像データを第２プロトコルでシリアル化した第２シリアルデータとを、第３プロトコルでプロトコル変換した第３シリアルデータとして伝送することを特徴とする請求項１または２記載の画像形成装置である。
請求項４記載の発明は、前記第１プロトコルはPCIExpress（登録商標）であり、前記第２プロトコルはDisplayPort（商標）であり、前記第３プロトコルはThunderbolt（登録商標）であることを特徴とする請求項１乃至３のいずれか１項記載の画像形成装置である。
【０００７】
請求項５記載の発明は、画像を読み取る画像読取動作を制御する読取制御部と、画像を形成する画像形成動作を制御する形成制御部と、画像を表示する画像表示動作を制御する表示制御部と、前記読取制御部、前記形成制御部および前記表示制御部を制御する全体制御部とを備え、前記読取制御部、前記形成制御部、前記表示制御部および前記全体制御部を、Thunderboltインタフェースによってデイジーチェーン接続し、前記全体制御部は、前記Thunderboltインタフェースを介した給電が行われることで当該Thunderboltインタフェースによるデータの授受が可能な状態で、前記読取制御部、前記形成制御部および前記表示制御部に対する給電／非給電を制御することを特徴とする画像形成装置である。
【０００８】
請求項６記載の発明は、前記全体制御部は、前記画像読取動作に関する指示を受け付けた場合に、前記読取制御部には給電を行うとともに前記形成制御部には給電を行わない制御を実行し、前記画像形成動作に関する指示を受け付けた場合に、当該形成制御部には給電を行うとともに当該読取制御部には給電を行わない制御を実行することを特徴とする請求項５記載の画像形成装置である。
【発明の効果】
【０００９】
請求項１記載の発明によれば、本構成を有していない場合と比較して、画像形成装置における制御系の接続を簡素化するとともに、その消費電力を低減することができる。
請求項２記載の発明によれば、本構成を有していない場合と比較して、画像形成装置における制御系および給電系の接続を簡素化することができる。
請求項３記載の発明によれば、本構成を有していない場合と比較して、種別の異なる複数のデータを、まとめて伝送することができる。
請求項４記載の発明によれば、本構成を有していない場合と比較して、接続手段を汎用品で実現することができる。
請求項５記載の発明によれば、本構成を有していない場合と比較して、画像形成装置における制御系の接続を簡素化するとともに、その消費電力を低減することができる。
請求項６記載の発明によれば、本構成を有していない場合と比較して、要求されるジョブの内容に応じて適切な給電設定を行うことができる。
【図面の簡単な説明】
【００１０】
【図１】実施の形態１における多機能複写機の構成の一例を示す図である。
【図２】実施の形態１の多機能複写機を構成する各コントローラの電源系統を説明するための図である。
【図３】サンダーボルトコントローラの内部構成を説明するための図である。
【図４】複数のサンダーボルトコントローラによるデータの授受を説明するための図である。
【図５】多機能複写機における給電設定手順を説明するためのフローチャートである。
【図６】実施の形態１のウェイトモードにおける給電対象およびデータの流れを説明するための図である。
【図７】実施の形態１のプリントモードにおける給電対象およびデータの流れを説明するための図である。
【図８】実施の形態１のスキャンモードにおける給電対象およびデータの流れを説明するための図である。
【図９】実施の形態１のコピーモードにおける給電対象およびデータの流れを説明するための図である。
【図１０】ジョブの対象となる画像データを、タッチパネルディスプレイに表示させる手順の一例を示すフローチャートである。
【図１１】実施の形態２における多機能複写機の構成の一例を示す図である。
【図１２】実施の形態２の多機能複写機を構成する各コントローラの電源系統を説明するための図である。
【図１３】実施の形態２のウェイトモードにおける給電対象およびデータの流れを説明するための図である。
【図１４】実施の形態２のプリントモードにおける給電対象およびデータの流れを説明するための図である。
【図１５】実施の形態２のスキャンモードにおける給電対象およびデータの流れを説明するための図である。
【図１６】実施の形態２のコピーモードにおける給電対象およびデータの流れを説明するための図である。
【発明を実施するための形態】
【００１１】
以下、添付図面を参照して、本発明の実施の形態について詳細に説明する。
＜実施の形態１＞
図１は、実施の形態１における多機能複写機１の構成の一例を示す図である。
画像形成装置の一例としての多機能複写機１は、コピー機能（複写機能）に加え、スキャン機能、プリント機能さらにはファクシミリ機能（ファクシミリ送信機能およびファクシミリ受信機能）を有するものであり、ネットワーク２を介して、外部に設けられた各種機器（図示せず）に接続されている。ここで、ネットワーク２としては、ＬＡＮ（Local Area Network）、インターネット回線、電話回線等が挙げられる。
【００１２】
本実施の形態の多機能複写機１は、原稿に記録された画像を読み取るスキャナ１０と、紙等の記録材に画像を形成するプリントエンジン２０と、ユーザから、スキャン機能、プリント機能、コピー機能およびファクシミリ機能を用いた動作に関連する指示を受け付けるとともに、ユーザに対してメッセージ等の映像情報を表示するタッチパネルディスプレイ３０とを備えている。また、多機能複写機１は、多機能複写機１全体の動作を制御するメインコントローラ５０と、メインコントローラ５０による制御の下でスキャナ１０の動作を制御するスキャンコントローラ６０と、メインコントローラ５０による制御の下でプリントエンジン２０の動作を制御するプリントコントローラ７０と、メインコントローラ５０による制御の下でタッチパネルディスプレイ３０の動作を制御するＵＩコントローラ８０とをさらに備えている。
【００１３】
本実施の形態では、多機能複写機１を構成するメインコントローラ５０、スキャンコントローラ６０、プリントコントローラ７０およびＵＩコントローラ８０を、高速汎用データ伝送技術として知られるThunderbolt（サンダーボルト：登録商標、以下では「ＴＢ」と表記する）で接続している。すなわち、この多機能複写機１では、メインコントローラ５０とＵＩコントローラ８０とをサンダーボルトケーブル（ＴＢケーブルと呼ぶ）４０で接続し、ＵＩコントローラ８０とプリントコントローラ７０とをＴＢケーブル４０で接続し、プリントコントローラ７０とスキャンコントローラ６０とをＴＢケーブル４０で接続している。したがって、この多機能複写機１では、メインコントローラ５０、ＵＩコントローラ８０、プリントコントローラ７０およびスキャンコントローラ６０が、この順番で、３本のＴＢケーブル４０を用いてデイジーチェーン接続されている。
【００１４】
ではここで、Thunderbolt（ＴＢ）について簡単に説明しておく。
ＴＢは、ホスト機器にさまざまな周辺機器を接続するためのバス規格の１つである。
【００１５】
ＴＢでは、エンベデッド・クロック方式を用いてパケット化されたデータを、平衡接続された伝送経路を用い、シリアル転送方式且つ全二重線通信方式にて、ポイント・ツー・ポイントで伝送する。また、ＴＢでは、異なるプロトコル（バス規格）で規定された複数のデータを、ＴＢのプロトコルに変換し、変換後のデータ（ＴＢのプロトコルで規定されたデータ）にて、機器間での伝送を行う。なお、現時点において、ＴＢで利用できるプロトコルは、高速汎用バス規格の１つであるＰＣＩＥｘｐｒｅｓｓ（登録商標、以下では、「ＰＣＩｅ」と表記する）、および、映像出力規格の１つであるＤｉｓｐｌａｙＰｏｒｔ（商標、以下では、「ＤＰ」と表記する）、の２つである。このように、ＴＢでは、ＰＣＩｅによる伝送対象となる汎用データと、ＤＰによる伝送対象となる映像データとを、混在させて伝送できるようになっている。ただし、理論上は、ＰＣＩｅやＤＰの他に、ＵＳＢ（Universal Serial Bus）やＳＡＴＡ（Serial Advanced Technology Attachment）、さらにはＨＤＭＩ（High-Definition Multimedia Interface）なども、ＴＢによる伝送が可能である。
【００１６】
また、ＴＢは、既知の高速シリアルバス規格の１つであるＩＥＥＥ１３９４と同様に、スター接続およびデイジーチェーン接続に対応するとともに、プラグ＆プレイおよびホットプラグにも対応している。
さらに、ＴＢでは、ＴＢケーブル４０として、銅線を用いたものと、光ファイバを用いたものとが存在するが、ＴＢケーブル４０として銅線を用いた場合においては、ＴＢケーブル４０を介した給電が行える。なお、本実施の形態では、上記ＴＢケーブル４０として、銅線を有するものを用いている。ＴＢにおける給電能力（現時点で最大１０Ｗ）は、ＵＳＢにおける給電能力（例えばＵＳＢ３．０において最大４．５Ｗ）よりも強力である。このように、本実施の形態のＴＢは、給電を行うための給電部と、データ伝送を行うための伝送部とを有している。
【００１７】
次に、メインコントローラ５０、スキャンコントローラ６０、プリントコントローラ７０およびＵＩコントローラ８０のそれぞれの構成について、順に説明を行う。
【００１８】
まず、全体制御部の一例としてのメインコントローラ５０は、種々の演算を実行することによって、多機能複写機１の各部を制御するＭＣＵ（Micro Control Unit）５１と、ＭＣＵ５１に接続され、他のコントローラ（スキャンコントローラ６０、プリントコントローラ７０、ＵＩコントローラ８０）との間において、ＴＢの規格に準拠したデータの授受の制御を行うＭ−ＴＢＣ（Thunderbolt Controller）５２とを備えている。また、ＭＣＵ５１には、ＨＤＤ（Hard Disk Drive）５３およびＲＡＭ（Random Access Memory）５４が接続されており、さらに上述したネットワーク２も接続されている。したがって、本実施の形態の多機能複写機１は、メインコントローラ５０を介して、外部のネットワーク２に接続されている。
【００１９】
メインコントローラ５０に設けられるＭＣＵ５１は、多機能複写機１を構成する各部の動作を制御する制御データ、スキャナ１０によって原稿から読み取られた画像データ（スキャンデータと呼ぶ：読取画像データに対応）およびプリントエンジン２０を用いて記録材に形成する画像データ（プリントデータと呼ぶ：形成画像データに対応）、ＵＩコントローラ８０を介してタッチパネルディスプレイ３０に表示させる画像データ（ディスプレイデータと呼ぶ：表示画像データに対応）に関する処理を実行するＣＰＵ（Central Processing Unit）、および、メインコントローラ５０の外部に設けられたネットワーク２、ＨＤＤ５３、ＲＡＭ５４との間でデータの授受を行うとともに、メインコントローラ５０の内部に設けられたＭ−ＴＢＣ５２との間でデータの授受を行うための各種入出力回路を内蔵している。ここで、統括制御手段の一例としてのＭＣＵ５１は、例えばＥｔｈｅｒｎｅｔ（登録商標）によってネットワーク２に接続され、例えばＳＡＴＡ（Serial Advanced Technology Attachment）によってＨＤＤ５３に接続され、例えばＤＤＲ３（Double-Data-Rate3）によってＲＡＭ５４に接続される。そして、ＭＣＵ５１は、ＰＣＩｅおよびＤＰの両者によってＭ−ＴＢＣ５２に接続される。
【００２０】
また、メインコントローラ５０に設けられる、統括接続部の一例としてのＭ−ＴＢＣ５２は、ＭＣＵ５１から送られてくる、ＰＣＩｅの規格に準拠するデータ（ＰＣＩｅデータと呼ぶ）と、ＤＰの規格に準拠するデータ（ＤＰデータと呼ぶ）とを、ＴＢ規格に準拠するデータ（ＴＢデータと呼ぶ）に変換し、ＵＩコントローラ８０に向けて出力する。さらに、Ｍ−ＴＢＣ５２は、ＵＩコントローラ８０からＭＣＵ５１を対象（宛先）として入力されてくるＴＢデータを、ＰＣＩｅデータおよびＤＰデータに変換し、ＭＣＵ５１に向けて出力する。
【００２１】
ここで、本実施の形態では、上述した制御データ、スキャンデータおよびプリントデータが、ＰＣＩｅデータ（あるいはＰＣＩｅデータに基づくＴＢデータ）として伝送される。これに対し、上述したディスプレイデータは、ＤＰデータ（あるいはＤＰデータに基づくＴＢデータ）として伝送される。
【００２２】
本実施の形態のメインコントローラ５０は、図示しない配線基板に、ＭＣＵ５１およびＭ−ＴＢＣ５２を実装してなる実装基板で構成されている。なお、この例では、ＨＤＤ５３およびＲＡＭ５４を、メインコントローラ５０の外部に配置しているが、これらを、ＭＣＵ５１およびＭ−ＴＢＣ５２とともにメインコントローラ５０に実装してもかまわない。
【００２３】
次に、画像読取制御部の一例としてのスキャンコントローラ６０は、スキャナ１０に接続され、スキャナ１０の動作を制御するとともに、スキャナ１０から入力されてくる画像データ（スキャンデータ）に各種処理を施すＳ−ＡＳＩＣ（Application Specific Integrated Circuit）６１と、Ｓ−ＡＳＩＣ６１に接続され、他のコントローラ（メインコントローラ５０、プリントコントローラ７０、ＵＩコントローラ８０）との間において、ＴＢデータの授受を行うＳ−ＴＢＣ６２とを備えている。
【００２４】
スキャンコントローラ６０に設けられるＳ−ＡＳＩＣ６１は、スキャンコントローラ６０の外部に設けられたスキャナ１０との間でデータの授受を行うとともに、スキャンコントローラ６０の内部に設けられたＳ−ＴＢＣ６２との間でデータの授受を行うための各種入出力回路（図示せず）を内蔵している。ここで、画像読取制御手段の一例としてのＳ−ＡＳＩＣ６１は、例えばＰＣＩｅによってスキャナ１０に接続され、ＰＣＩｅによってＳ−ＴＢＣ６２に接続される。
【００２５】
また、スキャンコントローラ６０に設けられる、読取接続部の一例としてのＳ−ＴＢＣ６２は、Ｓ−ＡＳＩＣ６１から送られてくるＰＣＩｅデータをＴＢデータに変換し、プリントコントローラ７０に向けて出力する。さらに、Ｓ−ＴＢＣ６２は、プリントコントローラ７０からＳ−ＡＳＩＣ６１を対象（宛先）として入力されてくるＴＢデータをＰＣＩｅデータに変換し、Ｓ−ＡＳＩＣ６１に向けて出力する。
【００２６】
本実施の形態では、Ｓ−ＡＳＩＣ６１においてＤＰのデータを使用する必要がないため、Ｓ−ＡＳＩＣ６１とＳ−ＴＢＣ６２とをＰＣＩｅのみで接続している。ただし、必要に応じて、Ｓ−ＡＳＩＣ６１とＳ−ＴＢＣ６２とを、さらにＤＰで接続するようにしてもかまわない。
【００２７】
本実施の形態のスキャンコントローラ６０は、図示しない配線基板に、Ｓ−ＡＳＩＣ６１およびＳ−ＴＢＣ６２を実装してなる実装基板で構成されている。なお、スキャンコントローラ６０を、スキャナ１０に内蔵させてもかまわない。
【００２８】
さらに、画像形成制御部の一例としてのプリントコントローラ７０は、プリントエンジン２０に接続され、プリントエンジン２０の動作を制御するとともに、メインコントローラ５０から入力されてくる画像データ（プリントデータ）に各種処理を施すＰ−ＡＳＩＣ７１と、Ｐ−ＡＳＩＣ７１に接続され、他のコントローラ（メインコントローラ５０、スキャンコントローラ６０、ＵＩコントローラ８０）との間において、ＴＢデータの授受を行うＰ−ＴＢＣ７２とを備えている。
【００２９】
プリントコントローラ７０に設けられるＰ−ＡＳＩＣ７１は、プリントコントローラ７０の外部に設けられたプリントエンジン２０との間でデータの授受を行うとともに、プリントコントローラ７０の内部に設けられたＰ−ＴＢＣ７２との間でデータの授受を行うための各種入出力回路（図示せず）を内蔵している。ここで、画像形成制御手段の一例としてのＰ−ＡＳＩＣ７１は、例えばＰＣＩｅによってプリントエンジン２０に接続され、ＰＣＩｅによってＰ−ＴＢＣ７２に接続される。
【００３０】
また、プリントコントローラ７０に設けられる、形成接続部の一例としてのＰ−ＴＢＣ７２は、Ｐ−ＡＳＩＣ７１から送られてくるＰＣＩｅデータをＴＢデータに変換し、ＵＩコントローラ８０またはスキャンコントローラ６０に向けて出力する。さらに、Ｐ−ＴＢＣ７２は、ＵＩコントローラ８０またはスキャンコントローラ６０からＰ−ＡＳＩＣ７１を対象（宛先）として入力されてくるＴＢデータをＰＣＩｅデータに変換し、Ｐ−ＡＳＩＣ７１に向けて出力する。さらにまた、Ｐ−ＴＢＣ７２は、スキャンコントローラ６０（あるいはＵＩコントローラ８０）からＰ−ＡＳＩＣ７１以外を対象（宛先）として入力されてくるＴＢデータを、そのまま、ＵＩコントローラ８０（あるいはスキャンコントローラ６０）に向けて出力（転送）する。
【００３１】
本実施の形態では、Ｐ−ＡＳＩＣ７１においてＤＰのデータを使用する必要がないため、Ｐ−ＡＳＩＣ７１とＰ−ＴＢＣ７２とをＰＣＩｅのみで接続している。ただし、必要に応じて、Ｐ−ＡＳＩＣ７１とＰ−ＴＢＣ７２とを、さらにＤＰで接続するようにしてもかまわない。
【００３２】
本実施の形態のプリントコントローラ７０は、図示しない配線基板に、Ｐ−ＡＳＩＣ７１およびＰ−ＴＢＣ７２を実装してなる実装基板で構成されている。なお、プリントコントローラ７０を、プリントエンジン２０に内蔵させてもかまわない。
【００３３】
続いて、画像表示制御部の一例としてのＵＩコントローラ８０は、タッチパネルディスプレイ３０に接続され、タッチパネルディスプレイ３０の動作を制御するとともに、メインコントローラ５０から入力されてくる画像データ（ディスプレイデータ）に各種処理を施すＵ−ＡＳＩＣ８１と、Ｕ−ＡＳＩＣ８１に接続され、他のコントローラ（メインコントローラ５０、スキャンコントローラ６０、プリントコントローラ７０）との間において、ＴＢデータの授受を行うＵ−ＴＢＣ８２とを備えている。
【００３４】
ＵＩコントローラ８０に設けられるＵ−ＡＳＩＣ８１は、ＵＩコントローラ８０の外部に設けられたタッチパネルディスプレイ３０との間でデータの授受を行うとともに、ＵＩコントローラ８０の内部に設けられたＵ−ＴＢＣ８２との間でデータの授受を行うための各種入出力回路（図示せず）を内蔵している。ここで、画像表示制御手段の一例としてのＵ−ＡＳＩＣ８１は、例えばＰＣＩｅおよびＤＰの両者によってタッチパネルディスプレイ３０に接続され、ＰＣＩｅおよびＤＰの両者によってＵ−ＴＢＣ８２に接続される。このとき、ＰＣＩｅの代わりにＤＰのサイドバンドＣＨを用いて、タッチパネルディスプレイ３０の制御信号等の伝送を行ってもかまわない。
【００３５】
また、ＵＩコントローラ８０に設けられる、表示接続部の一例としてのＵ−ＴＢＣ８２は、Ｕ−ＡＳＩＣ８１から送られてくるＰＣＩｅデータおよびＤＰデータをＴＢデータに変換し、メインコントローラ５０またはプリントコントローラ７０に向けて出力する。さらに、Ｕ−ＴＢＣ８２は、メインコントローラ５０あるいはプリントコントローラ７０からＵ−ＡＳＩＣ８１を対象（宛先）として入力されてくるＴＢデータをＰＣＩｅデータおよびＤＰデータに変換し、Ｕ−ＡＳＩＣ８１に向けて出力する。さらにまた、Ｕ−ＴＢＣ８２は、メインコントローラ５０（あるいはプリントコントローラ７０）からＵ−ＡＳＩＣ８１以外を対象（宛先）として入力されてくるＴＢデータを、そのまま、プリントコントローラ７０（あるいはメインコントローラ５０）に向けて出力（転送）する。
【００３６】
本実施の形態のＵＩコントローラ８０は、図示しない配線基板に、Ｕ−ＡＳＩＣ８１およびＵ−ＴＢＣ８２を実装してなる実装基板で構成されている。なお、ＵＩコントローラ８０を、タッチパネルディスプレイ３０に内蔵させてもかまわない。
【００３７】
ここで、ＴＢの観点からみた場合、メインコントローラ５０が「ホスト機器」となり、スキャンコントローラ６０、プリントコントローラ７０およびＵＩコントローラ８０がそれぞれ「周辺機器」となる。また、ＰＣＩｅの観点からみた場合、メインコントローラ５０が「ルートコンプレックス」となり、スキャンコントローラ６０、プリントコントローラ７０およびＵＩコントローラ８０がそれぞれ「エンドポイント」となる。さらに、ＤＰの観点からみた場合、メインコントローラ５０が「ソースデバイス」となり、ＵＩコントローラ８０（タッチパネルディスプレイ３０）が「シンクデバイス」となる。
【００３８】
図２は、実施の形態１の多機能複写機１を構成する各コントローラの電源系統を説明するための図である。
本実施の形態の多機能複写機１は、多機能複写機１を構成する各部に給電を行う電源ユニット１００と、各部に対する給電／非給電を設定する電源スイッチ１０１とをさらに備えている。
【００３９】
電源スイッチ１０１は、メインコントローラ５０（ＭＣＵ５１、Ｍ−ＴＢＣ５２、ＨＤＤ５３およびＲＡＭ５４）に対する給電／非給電の設定を行う第１スイッチ１０１ａと、タッチパネルディスプレイ３０およびＵＩコントローラ８０におけるＵ−ＡＳＩＣ８１に対する給電／非給電の設定を行う第２スイッチ１０１ｂと、プリントエンジン２０およびプリントコントローラ７０におけるＰ−ＡＳＩＣ７１に対する給電／非給電の設定を行う第３スイッチ１０１ｃと、スキャナ１０およびスキャンコントローラ６０におけるＳ−ＡＳＩＣ６１に対する給電／非給電の設定を行う第４スイッチ１０１ｄとを備えている。そして、電源スイッチ１０１に設けられた第１スイッチ１０１ａ〜第４スイッチ１０１ｄのＯＮ／ＯＦＦは、メインコントローラ５０に設けられたＭＣＵ５１が制御する。
【００４０】
ここで、本実施の形態では、メインコントローラ５０におけるＭ−ＴＢＣ５２が、電源ユニット１００から直接に電源供給を受けている。これに対し、ＵＩコントローラ８０におけるＵ−ＴＢＣ８２、プリントコントローラ７０におけるＰ−ＴＢＣ７２、およびスキャンコントローラ６０におけるＳ−ＴＢＣ６２は、ＴＢの給電機能を利用し、Ｍ−ＴＢＣ５２およびＴＢケーブル４０を介して、間接的に電源供給を受けている。より具体的に説明すると、Ｕ−ＴＢＣ８２はＭ−ＴＢＣ５２から電源供給を受け、Ｐ−ＴＢＣ７２は、Ｕ−ＴＢＣ８２を介してＭ−ＴＢＣ５２から電源供給を受け、Ｓ−ＴＢＣ６２は、Ｕ−ＴＢＣ８２およびＰ−ＴＢＣ７２を介してＭ−ＴＢＣ５２から電源供給を受けるようになっている。したがって、メインコントローラ５０ではＭＣＵ５１とＭ−ＴＢＣ５２とが一括して給電制御されるのに対し、ＵＩコントローラ８０ではＵ−ＡＳＩＣ８１とＵ−ＴＢＣ８２とが独立して給電制御され、プリントコントローラ７０ではＰ−ＡＳＩＣ７１とＰ−ＴＢＣ７２とが独立して給電制御され、スキャンコントローラ６０ではＳ−ＡＳＩＣ６１とＳ−ＴＢＣ６２とが独立して給電制御されるようになっている。
【００４１】
図３は、メインコントローラ５０、スキャンコントローラ６０、プリントコントローラ７０およびＵＩコントローラ８０のそれぞれに設けられるサンダーボルトコントローラ（ＴＢＣ）の内部構成を説明するための図である。ここで、図３（ａ）は、スキャンコントローラ６０（図１参照）に設けられるＳ−ＴＢＣ６２の内部構成を示しており、図３（ｂ）は、ＵＩコントローラ８０（図１参照）に設けられるＵ−ＴＢＣ８２の内部構成を示している。
【００４２】
まず、図３（ａ）に示すＳ−ＴＢＣ６２は、ＰＣＩｅデータを授受するＰＣＩｅインタフェース（以下では、「ＰＣＩｅＩＦ」と表記する）９１と、ＤＰデータを授受するＤＰインタフェース（以下では、「ＤＰＩＦ」と表記する）９２と、ＴＢデータを授受するＴＢインタフェース（以下では、「ＴＢＩＦ」と表記する）９３と、ＰＣＩｅＩＦ９１、ＤＰＩＦ９２、ＴＢＩＦ９３とそれぞれ接続され、ＰＣＩｅデータおよびＤＰデータにプロトコル変換を施してＴＢデータを作成し、且つ、ＴＢデータにプロトコル変換を施してＰＣＩｅデータおよびＤＰデータを作成するとともに、ＴＢＩＦ９３を介した給電設定を行うプロトコル変換／給電設定部９４とを備えている。
【００４３】
これに対し、図３（ｂ）に示すＵ−ＴＢＣ８２は、上述したＰＣＩｅＩＦ９１、ＤＰＩＦ９２、ＴＢＩＦ９３およびプロトコル変換／給電設定部９４に加え、ＴＢＩＦ９３とは別個にＴＢデータを授受する他のＴＢＩＦ９５を備えている。ここで、Ｕ−ＴＢＣ８２では、ＰＣＩｅＩＦ９１、ＤＰＩＦ９２およびＴＢＩＦ９３に加えて、他のＴＢＩＦ９５も、プロトコル変換／給電設定部９４に接続されている。そして、Ｕ−ＴＢＣ８２におけるプロトコル変換／給電設定部９４は、ＴＢＩＦ９３および他のＴＢＩＦ９５を介した給電設定を行う。
【００４４】
すなわち、図３（ａ）に示すＳ−ＴＢＣ６２では、ＴＢの入出力が１系統（１ポート：ＴＢＩＦ９３）であるのに対し、図３（ｂ）に示すＵ−ＴＢＣ８２では、ＴＢの入出力が２系統（２ポート：ＴＢＩＦ９３および他のＴＢＩＦ９５）である点が異なる。なお、本実施の形態では、図３（ａ）に示すＳ−ＴＢＣ６２とメインコントローラ５０に設けられるＭ−ＴＢＣ５２（図１参照）とが共通の内部構成（１ポート）を有しており、図３（ｂ）に示すＵ−ＴＢＣ８２とプリントコントローラ７０に設けられるＰ−ＴＢＣ７２（図１参照）とが共通の内部構成（２ポート）を有している。
【００４５】
ここで、図３（ａ）に示すＳ−ＴＢＣ６２は、ＰＣＩｅＩＦ９１およびＤＰＩＦ９２を有しているが、上述したように、Ｓ−ＡＳＩＣ６１ではＤＰのデータを使用する必要がない。このため、Ｓ−ＴＢＣ６２において、ＰＣＩｅＩＦ９１はＳ−ＡＳＩＣ６１との接続に用いる一方、ＤＰＩＦ９２はＳ−ＡＳＩＣ６１との接続に用いない。
【００４６】
他方、図３（ｂ）に示すＵ−ＴＢＣ８２と共通の構成を有するＰ−ＴＢＣ７２は、ＰＣＩｅＩＦ９１およびＤＰＩＦ９２を有しているが、上述したように、Ｐ−ＡＳＩＣ７１ではＤＰのデータを使用する必要がない。このため、Ｐ−ＴＢＣ７２において、ＰＣＩｅＩＦ９１はＰ−ＡＳＩＣ７１との接続に用いる一方、ＤＰＩＦ９２はＰ−ＡＳＩＣ７１との接続に用いない。
【００４７】
また、図３（ｂ）に示すＵ−ＴＢＣ８２（Ｐ−ＴＢＣ７２）では、図１を用いて説明したように、ＴＢＩＦ９３を介して入力されてくるＴＢデータを、プロトコル変換／給電設定部９４を素通りさせて、そのまま他のＴＢＩＦ９５を介して外部に出力（転送）できるようになっており、また、他のＴＢＩＦ９５を介して入力されてくるＴＢデータを、プロトコル変換／給電設定部９４を素通りさせて、そのままＴＢＩＦ９３を介して外部に出力（転送）できるようになっている。つまり、Ｕ−ＴＢＣ８２およびＰ−ＴＢＣ７２は、リピータとしての機能も有している。
【００４８】
なお、この例では、Ｓ−ＴＢＣ６２およびＭ−ＴＢＣ５２として、図３（ａ）に示す１ポート構造のものを用いているが、図３（ｂ）に示す２ポート構造のものを用いてもかまわない。
【００４９】
図４は、複数のサンダーボルトコントローラ（ＴＢＣ）によるデータの授受を説明するための図である。ここで、図４（ａ）は２つのサンダーボルトコントローラ（ＴＢＣ−Ａ２０１およびＴＢＣ−Ｂ２０２）によるデータの授受を示しており、図４（ｂ）は３つのサンダーボルトコントローラ（ＴＢＣ−Ａ２０１、ＴＢＣ−Ｂ２０２およびＴＢＣ−Ｃ２０３）によるデータの授受を示している。そして、図４（ａ）は、ＴＢＣ−Ａ２０１からＴＢＣ−Ｂ２０２にデータを送る場合を例示しており、図４（ｂ）は、ＴＢＣ−Ａ２０１からＴＢＣ−Ｂ２０２を介してＴＢＣ−Ｃ２０３にデータを送る場合を例示している。
【００５０】
ここで、図４（ａ）に示す例においては、ＴＢＣ−Ａ２０１およびＴＢＣ−Ｂ２０２の両者を、１ポートのＴＢＣ（図３（ａ）参照）あるいは２ポートのＴＢＣ（図３（ｂ）参照）で構成することができる。また、図４（ｂ）に示す例においては、ＴＢＣ−Ａ２０１およびＴＢＣ−Ｃ２０３の両者を、１ポートのＴＢＣ（図３（ａ）参照）あるいは２ポートのＴＢＣ（図３（ｂ）参照）で構成することができ、ＴＢＣ−Ｂ２０２については、２ポートのＴＢＣ（図３（ｂ）参照）で構成することができる。
【００５１】
最初に、図４（ａ）を参照しつつ、ＴＢＣ−Ａ２０１から、ＴＢＣ−Ｂ２０２を宛先としてデータを送る場合について説明を行う。
ＴＢＣ−Ａ２０１には、第１プロトコルの一例としてのＰＣＩｅによってＰＣＩｅデータＤ（ＰＣＩｅ）が入力され、第２プロトコルの一例としてのＤＰによってＤＰデータＤ（ＤＰ）が入力される。ここで、第１シリアルデータの一例としてのＰＣＩｅデータＤ（ＰＣＩｅ）は、エンベデッド・クロック方式を用いてパケット化されたシリアルデータで構成され、第２シリアルデータの一例としてのＤＰデータＤ（ＤＰ）も、エンベデッド・クロック方式を用いてパケット化されたシリアルデータで構成される。
【００５２】
次に、ＴＢＣ−Ａ２０１では、入力されてくるＰＣＩｅデータＤ（ＰＣＩｅ）およびＤＰデータＤ（ＤＰ）に、第３プロトコルの一例としてのＴＢによるプロトコル変換を施し、両者を含む第３シリアルデータの一例としてのＴＢデータＤ（ＴＢ）を作成する。ここで、ＴＢデータＤ（ＴＢ）は、元となるＰＣＩｅデータＤ（ＰＣＩｅ）およびＤＰデータＤ（ＤＰ）を混在してなるシリアルデータで構成される。このとき、ＴＢＣ−Ａ２０１は、ＴＢデータＤ（ＴＢ）を構成する各パケットに、宛先の情報を付加する。この例では、ＴＢデータＤ（ＴＢ）を構成する各パケットに、宛先がＴＢＣ−Ｂ２０２であることを示す情報が付加されることになる。
【００５３】
そして、ＴＢＣ−Ａ２０１は、作成したＴＢデータＤ（ＴＢ）を、ＴＢケーブル４０を介してＴＢＣ−Ｂ２０２に向けて出力する。
【００５４】
続いて、ＴＢＣ−Ｂ２０２は、ＴＢＣ−Ａ２０１からＴＢケーブル４０を介して入力されてくるＴＢデータＤ（ＴＢ）を受け取る。次に、ＴＢＣ−Ｂ２０２では、受け取ったＴＢデータＤ（ＴＢ）の各パケットを参照し、その宛先が自分（ＴＢＣ−Ｂ２０２）であるか否かの判別を行う。そして、ＴＢＣ−Ｂ２０２は、受け取ったＴＢデータＤ（ＴＢ）のうち、自分宛に送られてきたパケットを抽出してプロトコル変換を施し、ＰＣＩｅデータＤ（ＰＣＩｅ）およびＤＰデータＤ（ＤＰ）に復元する。なお、この例では、ＴＢＣ−Ａ２０１から送られてくるＴＢデータＤ（ＴＢ）の宛先がすべてＴＢＣ−Ｂ２０２となっていることから、ＴＢＣ−Ｂ２０２は、受け取ったＴＢデータＤ（ＴＢ）を構成する全パケットに対しプロトコル変換を施す。
【００５５】
そして、ＴＢＣ−Ｂ２０２は、復元によって得られたＰＣＩｅデータＤ（ＰＣＩｅ）をＰＣＩｅによって出力し、復元によって得られたＤＰデータＤ（ＤＰ）をＤＰによって出力する。
以上により、ＴＢＣ−Ａ２０１から、ＴＢＣ−Ｂ２０２を宛先とするデータの受渡が完了する。
【００５６】
次に、図４（ｂ）を参照しつつ、ＴＢＣ−Ａ２０１から、ＴＢＣ−Ｃ２０３を宛先としてデータを送る場合について説明を行う。
ＴＢＣ−Ａ２０１には、ＰＣＩｅによってＰＣＩｅデータＤ（ＰＣＩｅ）が入力され、ＤＰによってＤＰデータＤ（ＤＰ）が入力される。
【００５７】
次に、ＴＢＣ−Ａ２０１では、入力されてくるＰＣＩｅデータＤ（ＰＣＩｅ）およびＤＰデータＤ（ＤＰ）にプロトコル変換を施し、両者を含むＴＢデータＤ（ＴＢ）を作成する。このとき、ＴＢＣ−Ａ２０１は、ＴＢデータＤ（ＴＢ）を構成する各パケットに、宛先の情報を付加する。この例では、ＴＢデータＤ（ＴＢ）を構成する各パケットに、宛先がＴＢＣ−Ｃ２０３であることを示す情報が付加されることになる。
【００５８】
そして、ＴＢＣ−Ａ２０１は、作成したＴＢデータＤ（ＴＢ）を、ＴＢケーブル４０を介してＴＢＣ−Ｂ２０２に向けて出力する。
【００５９】
続いて、ＴＢＣ−Ｂ２０２は、ＴＢＣ−Ａ２０１からＴＢケーブル４０を介して入力されてくるＴＢデータＤ（ＴＢ）を受け取る。次に、ＴＢＣ−Ｂ２０２では、受け取ったＴＢデータＤ（ＴＢ）の各パケットを参照し、その宛先が自分（ＴＢＣ−Ｂ２０２）であるか否かの判別を行う。そして、ＴＢＣ−Ｂ２０２は、受け取ったＴＢデータＤ（ＴＢ）のうち、自分宛に送られてきたパケットを抽出してプロトコル変換を施し、ＰＣＩｅデータＤ（ＰＣＩｅ）およびＤＰデータＤ（ＤＰ）に復元する。なお、この例では、ＴＢＣ−Ａ２０１から送られてくるＴＢデータＤ（ＴＢ）の宛先がすべてＴＢＣ−Ｃ２０３となっていることから、ＴＢＣ−Ｂ２０２は、受け取ったＴＢデータＤ（ＴＢ）を構成する全パケットに対しプロトコル変換を施すことなく、そのまま、ＴＢケーブル４０を介してＴＢＣ−Ｃ２０３に出力（転送）する。
【００６０】
さらに続いて、ＴＢＣ−Ｃ２０３は、ＴＢＣ−Ｂ２０２からＴＢケーブル４０を介して入力されてくるＴＢデータＤ（ＴＢ）を受け取る。次に、ＴＢＣ−Ｃ２０３では、受け取ったＴＢデータＤ（ＴＢ）の各パケットを参照し、その宛先が自分（ＴＢＣ−Ｃ２０３）であるか否かの判別を行う。そして、ＴＢＣ−Ｃ２０３は、受け取ったＴＢデータＤ（ＴＢ）のうち、自分宛に送られてきたパケットを抽出してプロトコル変換を施し、ＰＣＩｅデータＤ（ＰＣＩｅ）およびＤＰデータＤ（ＤＰ）に復元する。なお、この例では、ＴＢＣ−Ａ２０１から送られてくるＴＢデータＤ（ＴＢ）の宛先がすべてＴＢＣ−Ｃ２０３となっていることから、ＴＢＣ−Ｃ２０３は、受け取ったＴＢデータＤ（ＴＢ）を構成する全パケットに対しプロトコル変換を施す。
【００６１】
そして、ＴＢＣ−Ｃ２０３は、復元によって得られたＰＣＩｅデータＤ（ＰＣＩｅ）をＰＣＩｅによって出力し、復元によって得られたＤＰデータＤ（ＤＰ）をＤＰによって出力する。
以上により、ＴＢＣ−Ａ２０１から、ＴＢＣ−Ｃ２０３を宛先とするデータの受渡が完了する。
【００６２】
次に、図１等に示す多機能複写機１における給電制御について説明する。
図５は、本実施の形態の多機能複写機１における給電設定手順を説明するためのフローチャートである。
【００６３】
多機能複写機１に設けられた主電源がオンされると（ステップ１０）、電源スイッチ１０１に設けられた第１スイッチ１０１ａ〜第４スイッチ１０１ｄがすべてオンされる。これに伴い、電源ユニット１００から、第１スイッチ１０１ａを介してメインコントローラ５０（ＭＣＵ５１、Ｍ−ＴＢＣ５２、ＨＤＤ５３およびＲＡＭ５４）に対する給電が開始され、第２スイッチ１０１ｂを介してタッチパネルディスプレイ３０、ＵＩコントローラ８０のＵ−ＡＳＩＣ８１に対する給電が開始され、第３スイッチ１０１ｃを介してプリントエンジン２０、プリントコントローラ７０のＰ−ＡＳＩＣ７１に対する給電が開始され、第４スイッチ１０１ｄを介してスキャナ１０、スキャンコントローラ６０のＳ−ＡＳＩＣ６１に対する給電が開始される。また、メインコントローラ５０に設けられたＭ−ＴＢＣ５２に対する給電が開始されるのに伴い、ＴＢケーブル４０を介してＵＩコントローラ８０のＵ−ＴＢＣ８２に対する給電が開始され、Ｕ−ＴＢＣ８２からＴＢケーブル４０を介してプリントコントローラ７０のＰ−ＴＢＣ７２に対する給電が開始され、Ｐ−ＴＢＣ７２からＴＢケーブル４０を介してスキャンコントローラ６０のＳ−ＴＢＣ６２に対する給電が開始される。
【００６４】
続いて、メインコントローラ５０、スキャンコントローラ６０、プリントコントローラ７０およびＵＩコントローラ８０は、それぞれにおいて初期化を行う（ステップ２０）。そして、各コントローラの初期化が完了した後、メインコントローラ５０は、サンダーボルト（ＴＢ）を初期化し（ステップ３０）、メインコントローラ５０に設けられたＭ−ＴＢＣ５２と、スキャンコントローラ６０に設けられたＳ−ＴＢＣ６２と、プリントコントローラ７０に設けられたＰ−ＴＢＣ７２と、ＵＩコントローラ８０に設けられたＵ−ＴＢＣ８２との間での通信を確立させる。また、Ｕ−ＡＳＩＣ８１とタッチパネルディスプレイ３０との間の通信、Ｐ−ＡＳＩＣ７１とプリントエンジン２０との間の通信、さらには、Ｓ−ＡＳＩＣ６１とスキャナ１０との間の通信が、それぞれ確立される。これにより、多機能複写機１は、コピー動作、スキャン動作、プリント動作およびファクシミリ送受信動作を実行可能な状態に設定される。
【００６５】
次に、メインコントローラ５０に設けられたＭＣＵ５１は、電源スイッチ１０１に設けられた第３スイッチ１０１ｃおよび第４スイッチ１０１ｄの両者をオンからオフに切り換えることで、プリントコントローラ７０に設けられたＰ−ＡＳＩＣ７１およびスキャンコントローラ６０に設けられたＳ−ＡＳＩＣ６１に対する給電を停止させる（ステップ４０）。なお、ステップ４０では、プリントエンジン２０およびスキャナ１０に対する給電も、併せて停止される。
【００６６】
これに伴い、多機能複写機１を構成する各コントローラのうち、メインコントローラ５０（ＭＣＵ５１、Ｍ−ＴＢＣ５２、ＨＤＤ５３およびＲＡＭ５４）、ＵＩコントローラ８０（Ｕ−ＡＳＩＣ８１、Ｕ−ＴＢＣ８２）、プリントコントローラ７０におけるＰ−ＴＢＣ７２およびスキャンコントローラ６０におけるＳ−ＴＢＣ６２には給電が行われる一方、プリントコントローラ７０におけるＰ−ＡＳＩＣ７１およびスキャンコントローラ６０におけるＳ−ＡＳＩＣ６１には給電が行われない状態へと移行する。なお、この状態を、「ウェイトモードＷＭ（待機モードに対応）」と呼ぶ。ここで、ウェイトモードＷＭでは、コピー動作、スキャン動作、プリント動作あるいはファクシミリ送受信動作等を直ちに実行することは不可能であるものの、Ｍ−ＴＢＣ５２、Ｕ−ＴＢＣ８２、Ｐ−ＴＢＣ７２およびＳ−ＴＢＣ６２を用いた、各コントローラ間の通信を行うことは可能な状態となっている。
【００６７】
その後、メインコントローラ５０に設けられたＭＣＵ５１は、例えばネットワーク２を介したプリント指示（あるいはファクシミリ受信指示）や、タッチパネルディスプレイ３０を介したコピー指示（あるいはスキャン指示やファクシミリ送信指示）などを含む、ジョブ開始指示を受け付けたか否かを判断する（ステップ５０）。なお、このとき、多機能複写機１では、メインコントローラ５０およびＵＩコントローラ８０への給電が続行されているため、ウェイトモードＷＭであっても、これらのジョブ開始指示を受け付けることが可能となっている。
【００６８】
ステップ５０において否定の判断（ＮＯ）を行った場合、メインコントローラ５０は、引き続きジョブ開始指示の受け付けを待つ。一方、ステップ５０において肯定の判断（ＹＥＳ）を行った場合、メインコントローラ５０は、受け付けたジョブ開始指示の内容がプリント指示またはファクシミリ受信指示であったか否かを判断する（ステップ６０）。
【００６９】
ステップ６０において肯定の判断（ＹＥＳ）を行った場合、メインコントローラ５０は、電源スイッチ１０１に設けられた第３スイッチ１０１ｃをオフからオンに切り換えることで、プリントコントローラ７０に設けられたＰ−ＡＳＩＣ７１に対する給電を再開させ（ステップ７０）、続いて、Ｐ−ＡＳＩＣ７１と、プリントエンジン２０との間の通信を再確立させる（ステップ８０）。なお、ステップ７０では、プリントエンジン２０に対する給電も、併せて再開される。
【００７０】
これに伴い、多機能複写機１を構成する各コントローラのうち、メインコントローラ５０（ＭＣＵ５１、Ｍ−ＴＢＣ５２、ＨＤＤ５３およびＲＡＭ５４）、ＵＩコントローラ８０（Ｕ−ＡＳＩＣ８１、Ｕ−ＴＢＣ８２）、プリントコントローラ７０（Ｐ−ＡＳＩＣ７１、Ｐ−ＴＢＣ７２）およびスキャンコントローラ６０におけるＳ−ＴＢＣ６２には給電が行われる一方、スキャンコントローラ６０におけるＳ−ＡＳＩＣ６１には給電が行われない状態へと移行する。なお、この状態を「プリントモードＰＭ（画像形成モードに対応）」と呼ぶ。
【００７１】
そして、ウェイトモードＷＭからプリントモードＰＭへの移行が完了した後、メインコントローラ５０は、ステップ５０で受け付けたジョブ（この場合はプリントまたはファクシミリ受信）を開始させる（ステップ１４０）。
【００７２】
一方、ステップ６０において否定の判断（ＮＯ）を行った場合、メインコントローラ５０は、次に、受け付けたジョブ開始指示の内容が、スキャン指示あるいはファクシミリ送信指示であったか否かを判断する（ステップ９０）。
【００７３】
ステップ９０において肯定の判断（ＹＥＳ）を行った場合、メインコントローラ５０は、電源スイッチ１０１に設けられた第４スイッチ１０１ｄをオフからオンに切り換えることで、スキャンコントローラ６０に設けられたＳ−ＡＳＩＣ６１に対する給電を再開させ（ステップ１００）、続いて、Ｓ−ＡＳＩＣ６１とスキャナ１０との間の通信を再確立させる（ステップ１１０）。なお、ステップ１００では、スキャナ１０に対する給電も、併せて再開される。
【００７４】
これに伴い、多機能複写機１を構成する各コントローラのうち、メインコントローラ５０（ＭＣＵ５１、Ｍ−ＴＢＣ５２、ＨＤＤ５３およびＲＡＭ５４）、ＵＩコントローラ８０（Ｕ−ＡＳＩＣ８１、Ｕ−ＴＢＣ８２）、スキャンコントローラ６０（Ｓ−ＡＳＩＣ６１、Ｓ−ＴＢＣ６２）およびプリントコントローラ７０におけるＰ−ＴＢＣ７２には給電が行われる一方、プリントコントローラ７０におけるＰ−ＡＳＩＣ７１には給電が行われない状態へと移行する。なお、この状態を「スキャンモードＳＭ（画像読取モードに対応）」と呼ぶ。
【００７５】
そして、ウェイトモードＷＭからスキャンモードＳＭへの移行が完了した後、メインコントローラ５０は、ステップ５０で受け付けたジョブ（この場合はスキャンまたはファクシミリ送信）を開始させる（ステップ１４０）。
【００７６】
一方、ステップ９０において否定の判断（ＮＯ）を行った場合すなわちジョブ開始指示の内容がコピー指示であった場合、メインコントローラ５０は、電源スイッチ１０１に設けられた第３スイッチ１０１ｃおよび第４スイッチ１０１ｄの両者をオフからオンに切り換えることで、スキャンコントローラ６０に設けられたＳ−ＡＳＩＣ６１およびプリントコントローラ７０に設けられたＰ−ＡＳＩＣ７１に対する給電を再開させ（ステップ１２０）、続いて、Ｓ−ＡＳＩＣ６１とスキャナ１０との間の通信およびＰ−ＡＳＩＣ７１とプリントエンジン２０との間の通信を再確立させる（ステップ１３０）。なお、ステップ１２０では、スキャナ１０およびプリントエンジン２０に対する給電も、併せて再開される。
【００７７】
これに伴い、多機能複写機１を構成する各コントローラのうち、メインコントローラ５０（ＭＣＵ５１、Ｍ−ＴＢＣ５２、ＨＤＤ５３およびＲＡＭ５４）、ＵＩコントローラ８０（Ｕ−ＡＳＩＣ８１、Ｕ−ＴＢＣ８２）、スキャンコントローラ６０（Ｓ−ＡＳＩＣ６１、Ｓ−ＴＢＣ６２）およびプリントコントローラ７０（Ｐ−ＡＳＩＣ７１およびＰ−ＴＢＣ７２）に給電が行われる。なお、この状態を「コピーモードＣＭ（複写モードに対応）」と呼ぶ。
【００７８】
そして、ウェイトモードＷＭからコピーモードＣＭへの移行が完了した後、メインコントローラ５０は、ステップ５０で受け付けたジョブ（この場合はコピー）を開始させる（ステップ１４０）。
【００７９】
図６は、ウェイトモードＷＭにおける給電対象およびデータの流れを説明するための図である。
ジョブを実行しないウェイトモードＷＭでは、図中においてハッチングを付した部位に給電が行われる。そして、ウェイトモードＷＭでは、タッチパネルディスプレイ３０に映像を表示させるのに用いられるディスプレイデータ（図中に二点鎖線で示す）が流れる。ディスプレイデータは、メインコントローラ５０におけるＭＣＵ５１で作成されるとともにＭ−ＴＢＣ５２を通過し、ＵＩコントローラ８０に向けて出力される。ＵＩコントローラ８０に入力されるディスプレイデータは、ＵＩコントローラ８０におけるＵ−ＴＢＣ８２およびＵ−ＡＳＩＣ８１を通過し、タッチパネルディスプレイ３０に出力される。このとき、Ｕ−ＡＳＩＣ８１は、通過するディスプレイデータに各種処理を施す。
【００８０】
このように、ウェイトモードＷＭにおいて、プリントコントローラ７０に設けられたＰ−ＡＳＩＣ７１およびスキャンコントローラ６０に設けられたＳ−ＡＳＩＣ６１にはデータが流れないことから、Ｐ−ＡＳＩＣ７１およびＳ−ＡＳＩＣ６１に対する給電は不要となる。
【００８１】
図７は、プリントモードＰＭにおける給電対象およびデータの流れを説明するための図である。
ジョブとしてプリントあるいはファクシミリ受信を実行するプリントモードＰＭでは、図中においてハッチングを付した部位に給電が行われる。そして、プリントモードＰＭでは、上述したディスプレイデータ（図中に二点鎖線で示す）に加えて、プリントデータ（図中に一点鎖線で示す）が流れる。プリントデータは、ネットワーク２からメインコントローラ５０に入力され、メインコントローラ５０におけるＭＣＵ５１およびＭ−ＴＢＣ５２を通過し、ＵＩコントローラ８０に向けて出力される。このとき、ＭＣＵ５１は、通過するプリントデータに各種処理を施す。ＵＩコントローラ８０に入力されるプリントデータは、ＵＩコントローラ８０におけるＵ−ＴＢＣ８２を通過し、そのままプリントコントローラ７０に向けて出力される。プリントコントローラ７０に入力されるプリントデータは、プリントコントローラ７０におけるＰ−ＴＢＣ７２およびＰ−ＡＳＩＣ７１を通過し、プリントエンジン２０に出力される。このとき、Ｐ−ＡＳＩＣ７１は、通過するプリントデータに各種処理を施す。
【００８２】
このように、プリントモードＰＭにおいて、スキャンコントローラ６０に設けられたＳ−ＡＳＩＣ６１にはデータが流れないことから、Ｓ−ＡＳＩＣ６１に対する給電は不要となる。
【００８３】
図８は、スキャンモードＳＭにおける給電対象およびデータの流れを説明するための図である。
ジョブとしてスキャンあるいはファクシミリ送信を行うスキャンモードＳＭでは、図中においてハッチングを付した部位に給電が行われる。そして、スキャンモードＳＭでは、上述したディスプレイデータ（図中に二点鎖線で示す）に加え、スキャンデータ（図中に破線で示す）が流れる。スキャンデータは、スキャナ１０からスキャンコントローラ６０に入力され、スキャンコントローラ６０におけるＳ−ＡＳＩＣ６１およびＳ−ＴＢＣ６２を通過し、プリントコントローラ７０に向けて出力される。このとき、Ｓ−ＡＳＩＣ６１は、通過するスキャンデータに各種処理を施す。プリントコントローラ７０に入力されるスキャンデータは、プリントコントローラ７０におけるＰ−ＴＢＣ７２を通過し、そのままＵＩコントローラ８０に向けて出力される。ＵＩコントローラ８０に入力されるスキャンデータは、ＵＩコントローラ８０におけるＵ−ＴＢＣ８２を通過し、そのままメインコントローラ５０に向けて出力される。メインコントローラ５０に入力されるスキャンデータは、メインコントローラ５０におけるＭ−ＴＢＣ５２およびＭＣＵ５１を通過し、ネットワーク２に出力される。このとき、ＭＣＵ５１は、通過するスキャンデータに各種処理を施す。
【００８４】
このように、スキャンモードＳＭにおいて、プリントコントローラ７０に設けられたＰ−ＡＳＩＣ７１にはデータが流れないことから、Ｐ−ＡＳＩＣ７１に対する給電は不要となる。
【００８５】
図９は、コピーモードＣＭにおける給電対象およびデータの流れを説明するための図である。
ジョブとしてコピーを実行するコピーモードＣＭでは、図中においてハッチングを付した部位に給電が行われる。そして、コピーモードＣＭでは、上述したディスプレイデータ（図中に二点鎖線で示す）に加えて、コピーデータ（図中に実線で示す）が流れる。コピーデータは、スキャナ１０からスキャンコントローラ６０に入力され、スキャンコントローラ６０におけるＳ−ＡＳＩＣ６１およびＳ−ＴＢＣ６２を通過し、プリントコントローラ７０に向けて出力される。このとき、Ｓ−ＡＳＩＣ６１は、通過するコピーデータに各種処理を施す。プリントコントローラ７０に入力されるコピーデータは、プリントコントローラ７０におけるＰ−ＴＢＣ７２を通過し、そのままＵＩコントローラ８０に向けて出力される。ＵＩコントローラ８０に入力されるコピーデータは、ＵＩコントローラ８０におけるＵ−ＴＢＣ８２を通過し、そのままメインコントローラ５０に向けて出力される。メインコントローラ５０に入力されるコピーデータは、メインコントローラ５０におけるＭ−ＴＢＣ５２およびＭＣＵ５１を通過し、さらに再度Ｍ−ＴＢＣ５２を通過し、ＵＩコントローラ８０に向けて出力される。このとき、ＭＣＵ５１は、通過するコピーデータに各種処理を施す。ＵＩコントローラ８０に入力されるコピーデータは、ＵＩコントローラ８０におけるＵ−ＴＢＣ８２を通過し、そのままプリントコントローラ７０に向けて出力される。プリントコントローラ７０に入力されるコピーデータは、プリントコントローラ７０におけるＰ−ＴＢＣ７２およびＰ−ＡＳＩＣ７１を通過し、プリントエンジン２０に出力される。このとき、Ｐ−ＡＳＩＣ７１は、通過するコピーデータに各種処理を施す。
【００８６】
このように、コピーモードＣＭにおいては、プリントコントローラ７０に設けられたＰ−ＡＳＩＣ７１およびスキャンコントローラ６０に設けられたＳ−ＡＳＩＣ６１にデータが流れることから、Ｐ−ＡＳＩＣ７１およびＳ−ＡＳＩＣ６１に対する給電が必要となる。
【００８７】
そして、本実施の形態では、ＵＩコントローラ８０を、プリントデータ、スキャンデータおよびコピーデータが必ず通過することを利用して、ジョブの対象となる画像データ（プリントデータ、スキャンデータおよびコピーデータ）を、ＵＩコントローラ８０に接続されたタッチパネルディスプレイ３０に表示させることができるようになっている。
【００８８】
図１０は、ジョブの対象となる画像データを、タッチパネルディスプレイ３０に表示させる手順の一例を示すフローチャートである。
ジョブが開始されると（ステップ２１０、図５に示すステップ１４０に対応）、メインコントローラ５０は、タッチパネルディスプレイ３０等を介してジョブの対象となる画像データの表示要求があったか否かを判断する（ステップ２２０）。ステップ２２０において否定の判断（ＮＯ）を行った場合は、この処理を終了する。
【００８９】
一方、ステップ２２０において肯定の判断（ＹＥＳ）を行った場合、メインコントローラ５０は、現在のモードがスキャンモードＳＭであるか否かを判断する（ステップ２３０）。ステップ２３０において肯定の判断（ＹＥＳ）を行った場合、メインコントローラ５０は、ＵＩコントローラ８０のＵ−ＴＢＣ８２に、Ｕ−ＴＢＣ８２を通過するスキャンデータを取得させ（ステップ２４０）、取得したスキャンデータをＵ−ＡＳＩＣ８１にて処理させることにより、タッチパネルディスプレイ３０に、取得したスキャンデータに基づくスキャン画像を表示させる（ステップ２５０）。
【００９０】
これに対し、ステップ２３０において否定の判断（ＮＯ）を行った場合、メインコントローラ５０は、現在のモードがプリントモードＰＭであるか否かを判断する（ステップ２６０）。ステップ２６０において肯定の判断（ＹＥＳ）を行った場合、メインコントローラ５０は、ＵＩコントローラ８０のＵ−ＴＢＣ８２に、Ｕ−ＴＢＣ８２を通過するプリントデータを取得させ（ステップ２７０）、取得したプリントデータをＵ−ＡＳＩＣ８１にて処理させることにより、タッチパネルディスプレイ３０に、取得したプリントデータに基づくプリント画像を表示させる（ステップ２８０）。
【００９１】
一方、ステップ２６０において否定の判断（ＮＯ）を行った場合すなわち現在のモードがコピーモードＣＭであった場合、メインコントローラ５０は、ＵＩコントローラ８０のＵ−ＴＢＣ８２に、Ｕ−ＴＢＣ８２を通過するコピーデータ（スキャンデータおよび／または）を取得させ（ステップ２９０）、取得したコピーデータをＵ−ＡＳＩＣ８１で処理させることにより、タッチパネルディスプレイ３０に、取得したスキャンデータに基づくスキャン画像および／または取得したプリントデータに基づくプリント画像を表示させる（ステップ３００）。
【００９２】
なお、スキャン画像あるいはコピー画像をタッチパネルディスプレイ３０に表示させた後、そのまま、スキャンデータの出力あるいはプリントデータに基づく画像形成を行うようにしてもよいし、例えばタッチパネルディスプレイ３０を介してユーザによる確認を受け付けた後に、スキャンデータの出力あるいはプリントデータに基づく画像形成を行うようにしてもよい。
【００９３】
＜実施の形態２＞
本実施の形態は、実施の形態１と基本的に同じであるが、メインコントローラ５０、スキャンコントローラ６０、プリントコントローラ７０およびＵＩコントローラ８０の接続順番が、実施の形態１とは異なる。なお、本実施の形態において、実施の形態１と同様のものについては、同じ符号を付してその詳細な説明を省略する。
【００９４】
図１１は、実施の形態２における多機能複写機１の構成の一例を示す図である。
本実施の形態の多機能複写機１も、スキャナ１０と、プリントエンジン２０と、タッチパネルディスプレイ３０と、メインコントローラ５０と、スキャンコントローラ６０と、プリントコントローラ７０と、ＵＩコントローラ８０とを備えている。ただし、本実施の形態の多機能複写機１では、メインコントローラ５０とスキャンコントローラ６０とをサンダーボルトケーブル（ＴＢケーブルと呼ぶ）４０で接続し、メインコントローラ５０とＵＩコントローラ８０とをＴＢケーブル４０で接続し、ＵＩコントローラ８０とプリントコントローラ７０とをＴＢケーブル４０で接続している点が実施の形態１とは異なる。したがって、この多機能複写機１では、スキャンコントローラ６０、メインコントローラ５０、ＵＩコントローラ８０およびプリントコントローラ７０が、この順番で、３本のＴＢケーブル４０を用いてデイジーチェーン接続されている。そして、このような接続順番とすることに伴い、メインコントローラ５０に設けられたＭ−ＴＢＣ５２が２ポート構成（図３（ｂ）参照）となっており、プリントコントローラ７０におけるＰ−ＴＢＣ７２が１ポート構成（図３（ａ）参照）となっている点も、実施の形態１とは異なる。
【００９５】
図１２は、実施の形態１の多機能複写機１を構成する各コントローラの電源系統を説明するための図である。
本実施の形態では、Ｓ−ＴＢＣ６２およびＵ−ＴＢＣ８２の両者が、それぞれＭ−ＴＢＣ５２から電源供給（ＴＢの給電機能による）を受け、Ｐ−ＴＢＣ７２は、Ｕ−ＴＢＣ８２を介してＭ−ＴＢＣ５２から電源供給（ＴＢの給電機能による）を受けるようになっている。
【００９６】
そして、本実施の形態の多機能複写機１においても、図５に示すフローチャートにしたがって、給電状態（ウェイトモードＷＭ、プリントモードＰＭ、スキャンモードＳＭおよびコピーモードＣＭ）の設定が行われる。
【００９７】
図１３は、ウェイトモードＷＭにおける給電対象およびデータの流れを説明するための図である。
ジョブを実行しないウェイトモードＷＭでは、図中においてハッチングを付した部位に給電が行われる。そして、ウェイトモードＷＭでは、タッチパネルディスプレイ３０に映像を表示させるのに用いられるディスプレイデータ（図中に二点鎖線で示す）が流れる。ディスプレイデータは、メインコントローラ５０におけるＭＣＵ５１で作成されるとともにＭ−ＴＢＣ５２を通過し、ＵＩコントローラ８０に向けて出力される。ＵＩコントローラ８０に入力されるディスプレイデータは、ＵＩコントローラ８０におけるＵ−ＴＢＣ８２およびＵ−ＡＳＩＣ８１を通過し、タッチパネルディスプレイ３０に出力される。このとき、Ｕ−ＡＳＩＣ８１は、通過するディスプレイデータに各種処理を施す。
【００９８】
このように、ウェイトモードＷＭにおいて、プリントコントローラ７０に設けられたＰ−ＡＳＩＣ７１およびスキャンコントローラ６０に設けられたＳ−ＡＳＩＣ６１には、データが流れないことから、Ｐ−ＡＳＩＣ７１およびＳ−ＡＳＩＣ６１に対する給電は不要となる。
【００９９】
図１４は、プリントモードＰＭにおける給電対象およびデータの流れを説明するための図である。
ジョブとしてプリントあるいはファクシミリ受信を実行するプリントモードＰＭでは、図中においてハッチングを付した部位に給電が行われる。そして、プリントモードＰＭでは、上述したディスプレイデータ（図中に二点鎖線で示す）に加えて、プリントデータ（図中に一点鎖線で示す）が流れる。プリントデータは、ネットワーク２からメインコントローラ５０に入力され、メインコントローラ５０におけるＭＣＵ５１およびＭ−ＴＢＣ５２を通過し、ＵＩコントローラ８０に向けて出力される。このとき、ＭＣＵ５１は、通過するプリントデータに各種処理を施す。ＵＩコントローラ８０に入力されるプリントデータは、ＵＩコントローラ８０におけるＵ−ＴＢＣ８２を通過し、そのままプリントコントローラ７０に向けて出力される。プリントコントローラ７０に入力されるプリントデータは、プリントコントローラ７０におけるＰ−ＴＢＣ７２およびＰ−ＡＳＩＣ７１を通過し、プリントエンジン２０に出力される。このとき、Ｐ−ＡＳＩＣ７１は、通過するプリントデータに各種処理を施す。
【０１００】
このように、プリントモードＰＭにおいて、スキャンコントローラ６０に設けられたＳ−ＡＳＩＣ６１には、データが流れないことから、Ｓ−ＡＳＩＣ６１に対する給電は不要となる。
【０１０１】
図１５は、スキャンモードＳＭにおける給電対象およびデータの流れを説明するための図である。
ジョブとしてスキャンあるいはファクシミリ送信を行うスキャンモードＳＭでは、図中においてハッチングを付した部位に給電が行われる。そして、スキャンモードＳＭでは、上述したディスプレイデータ（図中に二点鎖線で示す）に加え、スキャンデータ（図中に破線で示す）が流れる。スキャンデータは、スキャナ１０からスキャンコントローラ６０に入力され、スキャンコントローラ６０におけるＳ−ＡＳＩＣ６１およびＳ−ＴＢＣ６２を通過し、メインコントローラ５０に向けて出力される。このとき、Ｓ−ＡＳＩＣ６１は、通過するスキャンデータに各種処理を施す。メインコントローラ５０に入力されるスキャンデータは、メインコントローラ５０におけるＭ−ＴＢＣ５２およびＭＣＵ５１を通過し、ネットワーク２に出力される。このとき、ＭＣＵ５１は、通過するスキャンデータに各種処理を施す。
【０１０２】
このように、スキャンモードＳＭにおいて、プリントコントローラ７０に設けられたＰ−ＡＳＩＣ７１にはデータが流れないことから、Ｐ−ＡＳＩＣ７１に対する給電は不要となる。
【０１０３】
図１６は、コピーモードＣＭにおける給電対象およびデータの流れを説明するための図である。
ジョブとしてコピーを実行するコピーモードＣＭでは、図中においてハッチングを付した部位に給電が行われる。そして、コピーモードＣＭでは、上述したディスプレイデータ（図中に二点鎖線で示す）に加えて、コピーデータ（図中に実線で示す）が流れる。コピーデータは、スキャナ１０からスキャンコントローラ６０に入力され、スキャンコントローラ６０におけるＳ−ＡＳＩＣ６１およびＳ−ＴＢＣ６２を通過し、メインコントローラ５０に向けて出力される。このとき、Ｓ−ＡＳＩＣ６１は、通過するコピーデータに各種処理を施す。メインコントローラ５０に入力されるコピーデータは、メインコントローラ５０におけるＭ−ＴＢＣ５２およびＭＣＵ５１を通過し、さらに再度Ｍ−ＴＢＣ５２を通過し、ＵＩコントローラ８０に向けて出力される。このとき、ＭＣＵ５１は、通過するコピーデータに各種処理を施す。ＵＩコントローラ８０に入力されるコピーデータは、ＵＩコントローラ８０におけるＵ−ＴＢＣ８２を通過し、そのままプリントコントローラ７０に向けて出力される。プリントコントローラ７０に入力されるコピーデータは、プリントコントローラ７０におけるＰ−ＴＢＣ７２およびＰ−ＡＳＩＣ７１を通過し、プリントエンジン２０に出力される。このとき、プリントコントローラ７０は、通過するコピーデータに各種処理を施す。
【０１０４】
このように、コピーモードＣＭにおいては、プリントコントローラ７０に設けられたＰ−ＡＳＩＣ７１およびスキャンコントローラ６０に設けられたＳ−ＡＳＩＣ６１にデータが流れることから、Ｐ−ＡＳＩＣ７１およびＳ−ＡＳＩＣ６１に対する給電が必要となる。
【符号の説明】
【０１０５】
１…多機能複写機、２…ネットワーク、１０…スキャナ、２０…プリントエンジン、３０…タッチパネルディスプレイ、４０…ＴＢケーブル、５０…メインコントローラ、５１…ＭＣＵ、５２…Ｍ−ＴＢＣ、５３…ＨＤＤ、５４…ＲＡＭ、６０…スキャンコントローラ、６１…Ｓ−ＡＳＩＣ、６２…Ｓ−ＴＢＣ、７０…プリントコントローラ、７１…Ｐ−ＡＳＩＣ、７２…Ｐ−ＴＢＣ、８０…ＵＩコントローラ、８１…Ｕ−ＡＳＩＣ、８２…Ｕ−ＴＢＣ、９１…ＰＣＩｅＩＦ、９２…ＤＰＩＦ、９３…ＴＢＩＦ、９４…プロトコル変換／給電設定部、９５…他のＴＢＩＦ、１００…電源ユニット、１０１…電源スイッチ、Ｄ（ＰＣＩｅ）…ＰＣＩｅデータ、Ｄ（ＤＰ）…ＤＰデータ、Ｄ（ＴＢ）…ＴＢデータ、ＷＭ…ウェイトモード、ＰＭ…プリントモード、ＳＭ…スキャンモード、ＣＭ…コピーモード
【図１】
2014027629.tif 000003
【図２】
2014027629.tif 000004
【図３】
2014027629.tif 000005
【図４】
2014027629.tif 000006
【図５】
2014027629.tif 000007
【図６】
2014027629.tif 000008
【図７】
2014027629.tif 000009
【図８】
2014027629.tif 000010
【図９】
2014027629.tif 000011
【図１０】
2014027629.tif 000012
【図１１】
2014027629.tif 000013
【図１２】
2014027629.tif 000014
【図１３】
2014027629.tif 000015
【図１４】
2014027629.tif 000016
【図１５】
2014027629.tif 000017
【図１６】
2014027629.tif 000018